(57)【要約】【課題】入江駐車場の有効活用及び高頻度利用を図り、もって円滑な交通流の確保及び交通渋滞の緩和の効果を発揮できる駐車管理装置を提供する。【解決手段】駐車管理センタＡと駐車案内装置Ｂとからなる。駐車管理センタＡは、登録済みの特定車両の当該入江駐車場への推定到着時刻より一定時間前から推定到着時刻までの間は退出要求信号又は駐車禁止信号を、推定到着時刻の経過後は駐車許可信号を内容とする駐車案内信号を当該入江駐車場の駐車案内装置Ｂに送信する駐車案内信号送信手段を有する。駐車案内装置Ｂは、入江駐車場の車両走行方向先方における車道以外の場所に立設され、駐車管理センタＡから受信する駐車案内信号に基づいて当該入江駐車場に向けて退出要求情報、駐車禁止情報、又は駐車許可情報を選択的に文字表示及び／又は音声表示する駐車案内情報表示手段を備えた。【選択図】      図１
2006244144.tif 000002
【特許請求の範囲】
【請求項１】
駐車管理センタと、駐車案内装置とからなり、
前記駐車管理センタは、入江駐車場利用について予め登録されている特定車両の当該入江駐車場への推定到着時刻より一定時間前から前記推定到着時刻までの間は退出要求信号又は駐車禁止信号を、前記推定到着時刻の経過後は駐車許可信号を内容とする駐車案内信号を当該入江駐車場の駐車案内装置に送信する駐車案内信号送信手段を有し、
前記駐車案内装置は、入江駐車場のその入江駐車場に隣接する車道の車両進行方向先方における車道以外の場所に立設され、前記駐車管理センタから受信する駐車案内信号に基づいて当該入江駐車場に向けて退出要求情報、駐車禁止情報又は駐車許可情報を選択的に文字表示及び／又は音声表示する駐車案内情報表示手段を備えている、
ことを特徴とする駐車管理装置。
【請求項２】
駐車管理センタと、駐車案内装置とからなり、
前記駐車管理センタは、入江駐車場利用について予め登録されている車両を特定車両として、その特定車両の登録番号が登録されている特定車両情報記憶部と、各駐車案内装置から受信する車両の登録番号を含む駐車車両情報を当該車両が当該入江駐車場を退出するまで入江駐車場ごとに記憶する駐車車両情報記憶部と、特定車両の当該入江駐車場への推定到着時刻情報に基づいて、その推定到着時刻より一定時間前から前記推定到着時刻までの間に当該入江駐車場の駐車案内装置から駐車車両情報を受信した場合は、その駐車車両情報に含まれる登録番号が前記特定車両情報記憶部に記憶されている登録番号と一致しないときには退出要求信号を、前記推定到着時刻より一定時間前から前記推定到着時刻までの間に当該入江駐車場の駐車案内装置から駐車車両情報を受信しない場合は駐車禁止信号を、前記推定到着時刻の経過後は駐車許可信号を内容とする駐車案内信号をそれぞれ当該入江駐車場に送信する駐車案内信号送出手段とを有し、
前記駐車案内装置は、入江駐車場のその入江駐車場に隣接する車道の車両進行方向先方における車道以外の場所に立設され、当該入江駐車場に駐車した車両の有無を検知して検知信号を前記駐車管理センタに送信する車両検知手段と、駐車した車両の登録番号を認識して前記駐車管理センタに送信する車両登録番号認識手段と、前記駐車管理センタから受信する駐車案内信号に基づいて当該入江駐車場に向けて退出要求情報、駐車禁止情報又は駐車許可情報を選択的に文字表示及び／又は音声表示する駐車案内情報表示手段とを備えている、
ことを特徴とする駐車管理装置。
【請求項３】
駐車管理センタと、駐車案内装置と、予約申込情報入力手段とからなり、
前記駐車管理センタは、入江駐車場利用について予め契約して登録されている車両を契約車両として、その契約車両の登録番号が登録されている契約車両情報記憶部と、各駐車案内装置から受信する当該車両の登録番号を含む駐車車両情報を当該入江駐車場を退出するまで入江駐車場ごとに記憶する駐車車両情報記憶部と、前記予約申込情報入力手段から入力される入江駐車場指定情報と希望駐車時刻帯情報と当該車両の登録番号を内容とする予約申込情報を、登録されている予約済み情報と照合して、一致するものがあるか無いかにより予約可否情報を送信し、かつ、一致するものが無い場合は予約申込を受付けて予約済み情報として登録し、前記照合の結果、一致するものがある場合は予約を拒否する予約受付手段と、登録されている予約済み情報に含まれる希望駐車時刻帯情報に基づいてその希望駐車時間帯より一定時間前から前記希望駐車時間帯までの間に当該入江駐車場の駐車案内装置から駐車車両情報を受信しない場合は駐車禁止情報を、前記希望駐車時間帯より一定時間前から前記希望駐車時間帯までの間に当該入江駐車場の駐車案内装置から受信した駐車車両情報に含まれる登録番号が契約車両情報記憶部に記憶されている登録番号と一致しない場合は退出要求信号を内容とする駐車案内信号を送信する駐車案内信号送信手段と、前記駐車案内装置から受信した駐車車両情報に含まれる登録番号が前記契約車両情報記憶部に記憶されている場合は第１計算基準に従って駐車料金を算出し、前記駐車案内装置から受信した駐車車両情報に含まれる登録番号が前記契約車両情報記憶部に記憶されていない場合は第２計算基準に従って駐車料金を算出する駐車料金算出手段と、算出された駐車料金を当該車両が当該入江駐車場から退出した時点に前記駐車案内装置から先に受信した駐車車両情報に含まれる登録番号に対して課金する課金手段とを有し、
前記駐車案内装置は、入江駐車場のその入江駐車場に隣接する車道の車両進行方向先方における車道以外の場所に立設され、当該入江駐車場に駐車した車両の有無を検知して検知信号を前記駐車管理センタに送信する車両検知手段と、駐車した車両の登録番号を認識して前記駐車管理センタに送信する車両登録番号認識手段と、前記駐車管理センタから受信する駐車案内信号に基づいて当該入江駐車場に向けて退出要求情報、駐車禁止情報及び駐車車両に対する駐車料金を選択的に文字表示及び／又は音声表示する駐車案内情報表示手段とを備えており、
前記予約申込情報入力手段は、車両の登録番号、駐車を希望する入江駐車場、及び希望する駐車時間帯を予約申込情報として入力して前記駐車管理センタに送信し、その駐車管理センタからの予約可否情報を受信して表示するものである、
ことを特徴とする駐車管理装置。
【請求項４】
駐車管理センタと、駐車案内装置と、予約申込情報入力手段とからなり、
前記駐車管理センタは、入江駐車場利用について予め登録されている車両を特定車両として、その特定車両の登録番号が登録されている特定車両情報記憶部と、入江駐車場利用について予め契約して登録されている車両を契約車両として、その契約車両の登録番号が登録されている契約車両情報記憶部と、各駐車案内装置から受信する当該車両の登録番号を含む駐車車両情報を当該入江駐車場を退出するまで入江駐車場ごとに記憶する駐車車両情報記憶部と、前記予約申込情報入力手段から入力される入江駐車場指定情報と希望駐車時刻帯情報と当該車両の登録番号を内容とする予約申込情報を、登録されている予約済み情報と照合して、一致するものがあるか無いかにより予約可否情報を送信し、かつ、一致するものが無い場合は予約申込を受付けて予約済み情報として登録し、前記照合の結果、一致するものがある場合は予約を拒否する予約受付手段と、特定車両の当該入江駐車場への推定到着時刻情報に基づいて、その推定到着時刻より一定時間前から前記推定到着時刻までの間に当該入江駐車場の駐車案内装置から駐車車両情報を受信した場合はその駐車車両情報に含まれる登録番号が前記特定車両情報記憶部に記憶されている登録番号と一致しないときは退出要求信号を、前記推定到着時刻より所定時間前から前記推定到着時刻までの間に当該入江駐車場の駐車案内装置から駐車車両情報を受信しない場合は駐車禁止信号を内容とする駐車案内信号をそれぞれ当該入江駐車場の駐車案内装置に送信し、登録されている予約済み情報に含まれる希望駐車時刻帯情報に基づいてその希望駐車時間帯より一定時間前から前記希望駐車時間帯までの間に当該入江駐車場の駐車案内装置から駐車車両情報を受信しない場合は駐車禁止情報を、前記希望駐車時間帯より一定時間前から前記希望駐車時間帯までの間に当該入江駐車場の駐車案内装置から受信した駐車車両情報に含まれる登録番号が前記契約車両情報記憶部に記憶されている登録番号と一致しない場合は退出要求信号を内容とする駐車案内信号を送信する駐車案内信号送信手段と、前記駐車案内装置から受信した駐車車両情報に含まれる登録番号が前記契約車両情報記憶部に記憶されている場合は第１計算基準に従って駐車料金を算出し、前記駐車案内装置から受信した駐車車両情報に含まれる登録番号が前記契約車両情報記憶部に記憶されていない場合は第２計算基準に従って駐車料金を算出する駐車料金算出手段と、算出された駐車料金を当該車両が当該入江駐車場から退出した時点に前記駐車案内装置から先に受信した駐車車両情報に含まれる登録番号に基づいて課金する課金手段とを有し、
前記駐車案内装置は、入江駐車場のその入江駐車場に隣接する車道の車両進行方向先方における車道以外の場所に立設され、当該入江駐車場に駐車した車両の有無を検知して検知信号を前記駐車管理センタに送信する車両検知手段と、駐車した車両の登録番号を認識して前記駐車管理センタに送信する車両登録番号認識手段と、前記駐車管理センタから受信する駐車案内信号に基づいて当該入江駐車場に向けて退出要求情報、駐車禁止情報及び特定車両以外の駐車車両に対する駐車料金を選択的に文字表示及び／又は音声表示する駐車案内情報表示手段とを備えており、
前記予約申込情報入力手段は、車両の登録番号、駐車を希望する入江駐車場、及び希望する駐車時間帯を予約申込情報として入力して前記駐車管理センタに送信し、その駐車管理センタからの予約可否情報を受信して表示するものである、
ことを特徴とする駐車管理装置。
【請求項５】
駐車管理センタの駐車案内信号送信手段は、入江駐車場利用について予め登録されている特定車両の当該入江駐車場への推定到着時刻情報をも当該入江駐車場の駐車案内装置に随時送信し、駐車案内装置の駐車案内情報表示手段は、前記駐車管理センタから受信する前記特定車両の推定到着時刻情報をも選択的に表示することを特徴とする請求項１、２又は４に記載の駐車管理装置。
【請求項６】
入江駐車場のその入江駐車場に隣接する車道の車両走行方向先方における車道以外の場所に立設されたタワーに、前記入江駐車場に駐車した車両を検知する車両検知器と、前記車両の登録番号を認識する登録番号認識機と、前記入江駐車場に向けて退出要求、駐車禁止、駐車許可及び路線バスの推定到着時刻などの駐車案内情報を表示する表示手段と、太陽光発電機を含む電源装置と、前記入江駐車場近辺を証明する照明灯とを備えた入江駐車場用駐車案内装置。
【発明の詳細な説明】
【技術分野】
【０００１】
本発明は、主として、車道の路側に車道の一部を拡幅して設けられた駐車場（以下、入江駐車場という。）を利用するための駐車管理装置に関する。
【背景技術】
【０００２】
路上駐車は、交通流の円滑さを妨げるに止まらず、交通渋滞を引き起こす大きな原因の一つであることは、長い間指摘されている。特に幹線道路においては、片側２車線のある車道も、歩道寄りの車線に路上駐車していると、実質的に１車線の道路と同様な状態となるため、交通流の円滑さに与える影響は大きい。
【０００３】
これに着眼して、入江駐車場を設けて、その入江駐車場で荷物の積み卸しや客の乗降を行うことを可能にすることにより、円滑な交通流の確保及び交通渋滞の緩和を図る試みがなされた。
【発明の開示】
【発明が解決しようとする課題】
【０００４】
しかしながら、従来は、第一に入江駐車場の設置数が極少である。第二に入江駐車場が設置されただけで、その利用に関しては随時自由利用方式、すなわち、無管理方式であるため、入江駐車場を長時間専用する者が少なくないので、真に当該入江駐車場を利用したい車が駐車できないため、路上駐車をする車が減らない。そのため、従来は、交通流確保及び交通渋滞緩和の効果が発揮されないという悪循環を来している。また、路上駐車をする車が減らない事態を考慮して、円滑な交通流の確保及び交通渋滞の緩和を図るためには、車道の幅員を１車線の幅員の整数倍よりも若干広めに設定する必要があったので、その分、歩道の狭隘化が避けられず、歩道の歩行及び自転車通行が困難な状態は依然として改善されていない。このように、入江駐車場に関しては、従来の道路事情の改善が期待できるような利用方法ないし管理方法の案出が望まれている。
【０００５】
本発明は、上記課題に鑑みてなされたものであり、その目的は、入江駐車場の有効活用及び高頻度利用を図り、もって円滑な交通流の確保及び交通渋滞の緩和の効果を発揮できる駐車管理装置を提供することにある。
【課題を解決するための手段】
【０００６】
上記目的を達成するため、本発明による駐車管理装置は、駐車管理センタＡと、駐車案内装置Ｂとからなり、駐車管理センタＡは、入江駐車場利用について予め登録されている特定車両の当該入江駐車場への推定到着時刻より一定時間前から前記推定到着時刻までの間は退出要求信号又は駐車禁止信号を、前記推定到着時刻の経過後は駐車許可信号を内容とする駐車案内信号を当該入江駐車場の駐車案内装置Ｂに送信する駐車案内信号送信手段を有し、駐車案内装置Ｂは、入江駐車場のその入江駐車場に隣接する車道の車両進行方向先方における車道以外の場所に立設され、推定到着時刻より一定時間前から推定到着時刻までの間は、前記駐車管理センタＡから受信する駐車案内信号に基づいて当該入江駐車場に向けて退出要求情報又は駐車禁止情報を、推定到着時刻の経過後は駐車許可情報を選択的に文字表示及び／又は音声表示する駐車案内情報表示手段を備えていることを特徴としている（請求項１）。
上記構成により、各入江駐車場の駐車案内装置Ｂにおいて、特定車両の推定到着時刻より一定時間前からその推定到着時刻までの間は退出要求情報又は駐車禁止情報が、推定到着時刻の経過後は駐車許可情報が、駐車案内情報表示手段により選択的に文字及び／又は音声により表示される。
【０００７】
また、本発明による駐車管理装置は、駐車管理センタＡと、駐車案内装置Ｂとからなり、駐車管理センタＡは、入江駐車場利用について予め登録されている車両を特定車両として、その特定車両の登録番号が登録されている特定車両情報記憶部と、各駐車案内装置Ｂから受信する車両の登録番号を含む駐車車両情報を当該車両が当該入江駐車場を退出するまで入江駐車場ごとに記憶する駐車車両情報記憶部と、特定車両の当該入江駐車場への推定到着時刻情報に基づいて、その推定到着時刻より一定時間前から前記推定到着時刻までの間に当該入江駐車場の駐車案内装置Ｂから駐車車両情報を受信した場合は、その駐車車両情報に含まれる登録番号が特定車両情報記憶部に記憶されている登録番号と一致しないときには退出要求信号を、前記推定到着時刻より一定時間前から前記推定到着時刻までの間に当該入江駐車場の駐車案内装置Ｂから駐車車両情報を受信しない場合は駐車禁止信号を、前記推定到着時刻の経過後は駐車許可信号を内容とする駐車案内信号をそれぞれ当該入江駐車場に送信する駐車案内信号送出手段とを有し、前記駐車案内装置Ｂは、当該入江駐車場に駐車した車両の有無を検知して検知信号を駐車管理センタＡに送信する車両検知手段と、駐車した車両の登録番号を認識して駐車管理センタＡに送信する車両登録番号認識手段と、前記駐車管理センタＡから受信する駐車案内信号に基づいて当該入江駐車場に向けて退出要求情報、駐車禁止情報又は駐車許可情報を選択的に文字表示及び／又は音声表示する駐車案内情報表示手段とを備えていることを特徴としている（請求項２）。
【０００８】
上記構成により、車両が入江駐車場に駐車すると、その駐車案内装置Ｂがその車両の駐車車両情報を駐車管理センタＡに送信するので、駐車管理センタＡの駐車車両情報記憶部に記憶される。その駐車車両情報に含まれる登録番号が特定車両情報記憶部に登録されている登録番号と照合され、一致か不一致かにより、その車両が登録された特定車両か否かが判定される。当該入江駐車場における特定車両の推定到着時刻よりも所定時間前から前記推定到着時刻までの間にその入江駐車場に特定車両以外の車両が駐車している場合は駐車管理センタＡから退出要求信号が当該入江駐車場の駐車案内装置Ｂに送信されるので、駐車案内情報表示手段により当該入江駐車場に向けて退出要求情報が表示される。また、当該入江駐車場における特定車両の推定到着時刻よりも所定時間前から前記推定到着時刻までの間に駐車案内装置Ｂから駐車車両情報を受信しない場合は、駐車管理センタＡから駐車禁止情報が当該駐車案内装置Ｂに送信されるので、駐車案内情報表示手段により駐車禁止情報が表示される。さらに、推定到着時刻経過後は、駐車案内装置Ｂに駐車許可情報が表示される。
【０００９】
さらに、本発明による駐車管理装置は、駐車管理センタＡと、駐車案内装置Ｂと、予約申込情報入力手段Ｃとからなり、前記駐車管理センタＡは、上記契約車両情報記憶部と、上記駐車車両情報記憶部と、前記予約申込情報入力手段Ｃから入力される入江駐車場指定情報と希望駐車時刻帯情報と当該車両の登録番号を内容とする予約申込情報を、登録されている予約済み情報と照合して、一致するものがあるか無いかにより予約可否情報を送信し、かつ、一致するものが無い場合は予約申込を受付けて予約済み情報として登録し、前記照合の結果、一致するものがある場合は予約を拒否する予約受付手段と、登録されている予約済み情報に含まれる希望駐車時刻帯情報に基づいてその希望駐車時間帯より一定時間前から前記希望駐車時間帯までの間に当該入江駐車場の駐車案内装置Ｂから駐車車両情報を受信しない場合は駐車禁止情報を、前記希望駐車時間帯より一定時間前から前記希望駐車時間帯までの間に当該入江駐車場の駐車案内装置Ｂから受信した駐車車両情報に含まれる登録番号が契約車両情報記憶部に記憶されている登録番号と一致しない場合は退出要求信号を内容とする駐車案内信号を送信する駐車案内信号送信手段と、駐車案内装置Ｂから受信した駐車車両情報に含まれる登録番号が契約車両情報記憶部に記憶されている場合は第１計算基準に従って駐車料金を算出し、駐車案内装置Ｂから受信した駐車車両情報に含まれる登録番号が契約車両情報記憶部に記憶されていない場合は第２計算基準に従って駐車料金を算出する駐車料金算出手段と、算出された駐車料金を当該車両が当該入江駐車場から退出した時点に駐車案内装置Ｂから先に受信した駐車車両情報に含まれる登録番号に基づいて課金する課金手段とを有し、前記駐車案内装置Ｂは、上記車両検知手段と、上記車両登録番号認識手段と、前記駐車管理センタＡから受信する駐車案内信号に基づいて当該入江駐車場に向けて退出要求情報、駐車禁止情報及び駐車車両に対する駐車料金を選択的に文字表示及び／又は音声表示する駐車案内情報表示手段とを備えており、前記予約申込情報入力手段Ｃは、車両の登録番号、駐車を希望する入江駐車場、及び希望する駐車時間帯を予約申込情報として入力して駐車管理センタＡに送信し、駐車管理センタＡからの予約可否情報を受信して表示するものであることを特徴としている（請求項３）。
【００１０】
上記構成により、入江駐車場利用希望者はＣを用いて予約済みとなっている入江駐車場及び時間帯を除くほかの希望する入江駐車場の希望する時間帯の駐車を予約することができる。そして、当該入江駐車場における契約車両が予約した駐車時間帯より所定時間前から予約駐車時間帯までの間に当該契約車両以外の車両が駐車している場合は退出要求情報が、車両が駐車していない場合は駐車禁止情報が、当該入江駐車場に向けて表示されるので、予約駐車時間帯は契約車両のみが優先的に第１計算基準に基づく駐車料金でその入江駐車場を利用することができる。そして、契約車両が予約した駐車時間帯より所定時間前からその契約車両が当該入江駐車場から退出するまでの時間を除いた残りの、駐車案内装置Ｂの駐車案内情報表示手段により退出要求情報が表示されるまでの時間は、駐車案内情報表示手段に駐車許可情報が表示され、非契約車両が第２計算基準に基づく駐車料金でその入江駐車場を利用することができる。
【００１１】
加えて、本発明による駐車管理装置は、駐車管理センタＡと、駐車案内装置Ｂと、予約申込情報入力手段Ｃとからなり、前記駐車管理センタＡは、上記特定車両情報記憶部と、上記契約車両情報記憶部と、上記駐車車両情報記憶部と、上記予約受付手段と、特定車両の当該入江駐車場への推定到着時刻情報に基づいて、その推定到着時刻より所定時間前から前記推定到着時刻までの間に当該入江駐車場の駐車案内装置Ｂから駐車車両情報を受信した場合はその駐車車両情報に含まれる登録番号が特定車両情報記憶部に記憶されている登録番号と一致しないときは退出要求信号を、前記推定到着時刻より所定時間前から前記推定到着時刻までの間に当該入江駐車場の駐車案内装置Ｂから駐車車両情報を受信しない場合は駐車禁止信号を内容とする駐車案内信号をそれぞれ当該入江駐車場の駐車案内装置Ｂに送信し、登録されている予約済み情報に含まれる希望駐車時刻帯情報に基づいてその希望駐車時間帯より一定時間前から前記希望駐車時間帯までの間に当該入江駐車場の駐車案内装置Ｂから駐車車両情報を受信しない場合は駐車禁止情報を、前記希望駐車時間帯より一定時間前から前記希望駐車時間帯までの間に当該入江駐車場の駐車案内装置Ｂから受信した駐車車両情報に含まれる登録番号が契約車両情報記憶部に記憶されている登録番号と一致しない場合は退出要求信号を内容とする駐車案内信号を送信する駐車案内信号送信手段と、上記駐車料金算出手段と、上記課金手段とを有し、前記駐車案内装置Ｂは、上記車両検知手段と、上記車両登録番号認識手段と、前記駐車管理センタＡから受信する駐車案内信号に基づいて当該入江駐車場に向けて退出要求情報、駐車禁止情報及び特定車両以外の駐車車両に対する駐車料金を選択的に文字表示及び／又は音声表示する駐車案内情報表示手段とを備えていることを特徴としている（請求項４）。
【００１２】
上記構成により、入江駐車場利用希望者はＣを用いて予約済みとなっている入江駐車場及び時間帯を除くほかの希望する入江駐車場の希望する時間帯の駐車を予約することができる。そして、当該入江駐車場における特定車両の推定到着時刻より所定時間前から推定到着時刻までの間に特定車両以外の車両が駐車している場合は退出要求情報が、車両が駐車していない場合は駐車禁止情報が、当該入江駐車場に向けて表示されるので、推定到着時刻には特定車両のみが優先的にその入江駐車場を利用することができる。また、特定車両の推定到着時刻以外の時間帯は、契約車両が予約した駐車時間帯より所定時間前から予約駐車時間帯までの間に当該契約車両以外の車両が駐車している場合は退出要求情報が、車両が駐車していない場合は駐車禁止情報が、当該入江駐車場に向けて表示されるので、予約駐車時間帯は契約車両のみが優先的に第１計算基準に基づく駐車料金でその入江駐車場を利用することができる。そして、特定車両の推定到着時刻より所定時間前からその特定車両が当該入江駐車場から退出するまでの時間及び契約車両が予約した駐車時間帯より所定時間前からその契約車両が当該入江駐車場から退出するまでの時間を除いた残りの、駐車案内装置Ｂの駐車案内情報表示手段により退出要求情報が表示されるまでの時間は、駐車案内情報表示手段に駐車許可情報が表示され、非契約車両が第２計算基準に基づく駐車料金でその入江駐車場を利用することができる。
【００１３】
さらに、本発明は、駐車管理センタＡの駐車案内信号送信手段が入江駐車場利用について予め登録されている特定車両の当該入江駐車場への推定到着時刻情報をも当該入江駐車場の駐車案内装置Ｂに随時送信し、駐車案内装置Ｂの駐車案内情報表示手段が駐車管理センタＡから受信する特定車両の推定到着時刻情報をも選択的に表示することが望ましい（請求項５）。
上記構成により駐車案内情報表示手段には、退出要求情報、駐車禁止情報、駐車許可情報のほかに特定車両の推定到着時刻が選択的に表示される。
【００１４】
本発明による入江駐車場用駐車案内装置は、入江駐車場の車両走行方向先方における車道以外の場所に立設されたタワーに、入江駐車場の車両を検知する車両検知器と、その車両の登録番号を認識する登録番号認識機と、入江駐車場に向けて退出要求、駐車禁止、駐車許可及び路線バスの推定到着時刻などの駐車案内情報を表示する表示手段と、太陽光発電機を含む電源装置と、入江駐車場近辺を証明する照明灯とを備えたことを特徴としている（請求項６）。
【発明の効果】
【００１５】
請求項１の発明によれば、特定車両の当該入江駐車場への推定到着時刻が表示されるので、特定車両の到来を待っている人は待ち時間がわかるで、安心して待つことができる。また、特定車両の当該入江駐車場への推定到着時刻の前に当該入江駐車場に駐車している車がいる場合は退出要求に対応して退出することが、当該入江駐車場に駐車しようとする車がいる場合は駐車禁止に対応して駐車しないことが、それぞれ期待されるので、到着した特定車両は円滑に当該入江駐車場に進入して駐車し、安全に荷物の積み卸し又は乗客の乗降を行うことができる。すなわち、特定車両は他の車両を排除して優先的に入江駐車場を利用することができる。従って、従来と異なり、入江駐車場が特定車両以外の車両により占拠されて進入できないために車道に停車又は駐車したり、入江駐車場が開くまで車道に停車して待たされることが無くなるので、交通流が円滑になる。
【００１６】
請求項２の発明においては、特定車両の当該入江駐車場における推定到着時刻と現在時刻との対比のみに基づいて、すなわち、駐車している車両が特定車両か否かを問わずに、退出要求又は駐車禁止を表示するので、入江駐車場における駐車実情と合致しない駐車案内が行われることが考えられる。しかし、請求項２の発明においては、特定車両について登録されている登録番号と、入江駐車場に実際に駐車している車両の登録番号とを照合して、一致しない場合に限りその入江駐車場に向けて退出要求を表示するので、駐車実体に合致した駐車案内・誘導を行うことができる。従って、入江駐車場について合理的、効率的な駐車管理を実現することができる。
【００１７】
請求項３の発明によれば、契約車両は特定車両の優先的利用時間を除いた時間について予め予約してその予約時間は他の車両に優先して入江駐車場の利用をすることができ、さらに、その余の時間帯においては、非契約車両も入江駐車場に駐車することができる。そして、契約車両と非契約車両とで異なる計算基準に基づいて駐車料金が算出されるので、例えば、利用頻度が高く、かつ、一回の駐車時間が短い車両などの契約車両の計算基準を安く設定し、利用頻度は低く、一回の駐車時間が長くなりやすい車両などの非契約車両の計算基準を高く設定することにより、入江駐車場の長時間占拠を防止することが可能である。このようにして、入江駐車場の有効活用及び利用率向上が実現されるので、交通流が従来に比し格段に円滑化されるから、交通渋滞が著しく緩和ないし防止されることが期待できる。そして、このような入江駐車場が増えれば増えるほど、各入江駐車場間の車道路側に駐車する車両が減り又は無くなるので、従来、車道に隣接して路側駐車用の余分な幅員を付加していたことを止めて、車道の幅員を実質的に１車線の幅員の整数倍のみにすることができる。従って、既存の車道の幅員から路側駐車用幅員を削除し、これに代えて歩道の幅員を増大することができるので、歩行者の通行に便宜であるほか、花壇や植樹等により道路環境の改善を図って人に優しい道路の計画が可能となる。
【００１８】
請求項４の発明によれば、特定車両は推定到着時刻から所定時間前から到着時刻までの間は、特定車両以外の車両を排して優先的に入江駐車場を利用することができ、また、契約車両も特定車両の優先的利用時間を除いた時間について予め予約してその予約時間は他の車両に優先して入江駐車場の利用をすることができ、さらに、その余の時間帯においては、非契約車両も入江駐車場に駐車することができる。そして、契約車両と非契約車両とで異なる計算基準に基づいて駐車料金が算出されるので、例えば、利用頻度が高く、かつ、一回の駐車時間が短い車両などの契約車両の計算基準を安く設定し、利用頻度は低く、一回の駐車時間が長くなりやすい車両などの非契約車両の計算基準を高く設定することにより、入江駐車場の長時間占拠を防止することが可能である。このようにして、入江駐車場の有効活用及び利用率向上が実現されるので、交通流が従来に比し格段に円滑化されるから、交通渋滞が著しく緩和ないし防止されることが期待できる。そして、このような入江駐車場が増えれば増えるほど、各入江駐車場間の車道路側に駐車する車両が減り又は無くなるので、従来、車道に隣接して路側駐車用の余分な幅員を付加していたことを止めて、車道の幅員を実質的に１車線の幅員の整数倍のみにすることができる。従って、既存の車道の幅員から路側駐車用幅員を削除し、これに代えて歩道の幅員を増大することができるので、歩行者の通行に便宜であるほか、花壇や植樹等により道路環境の改善を図って人に優しい道路の計画が可能となる。
【００１９】
請求項５の発明によれば、各入江駐車場の駐車案内装置Ｂに当該入江駐車場への特定車両の推定到着時刻が表示されるので、特定車両を利用したい人は待ち時間がわかるで、便利である。
【００２０】
請求項６の発明によれば、一つのタワーを入江駐車場付近に設置すれば、車両検知器、登録番号認識機、表示手段、電源装置の全てが設備されるので、施工時間の短縮と施工コスト及び設備コストの削減効果が得られる。また、タワーであるので、駐車案内装置の存在及び表示情報の視認性が良好であるとともに、ランドマークとしての役目をも果たすことができる。
【発明を実施するための最良の形態】
【００２１】
続いて、本発明の実施の形態について図面に基づいて説明する。
図１は、入江駐車場とこれに隣接して駐車案内装置が設置されている状態を示すイメージ図、図２は第一の発明の実施例を示す概念図、図３は第一の発明の主たる構成要素である駐車管理センタと駐車案内装置の構成を示すブロック図、図４は駐車管理センタの主としてホストコンピュータの構成の一例を示すブロック図である。図１３は駐車案内装置の一例を示す正面図、図１４はその駐車案内装置による駐車案内情報の表示例を示す図である。
【００２２】
第一の発明は、入江駐車場Ｐを特定車両Ｖ、例えば、路線バスが他の車両を排して優先的に利用でき、他の車両は特定車両が利用しない時間帯に自由に利用できるようにしたものであり、その場合の駐車管理装置は、図２に示すように、駐車管理センタＡと、各入江駐車場Ｐに設けられる駐車案内装置Ｂとからなる。ただし、図２ないし図４までには、第一実施例装置の構成、すなわち、車両の登録番号を特定車両とそれ以外の車両の識別のために用いない第１駐車管理パターンの構成に、第二実施例装置の構成、すなわち、車両の登録番号を特定車両とそれ以外の車両の識別のために用いる第２駐車管理パターンの構成が付加された状態で示されている。
【００２３】
駐車管理センタＡは図３に示すようにホストコンピュータ１と、通信機２と、通信制御部３とを有する。ホストコンピュータ１は、図４に示すように、ＣＰＵで構成されている処理部１ａと、ＲＯＭ，ＲＡＭ等で構成されている記憶部１ｂと、キーボードなどの入力手段１ｃと、ＬＣＤディスプレイなどの表示手段１ｄとを有している。そして、処理部１ａは、データの照合手段１ａ１と、前記各入江駐車場に設置された駐車案内装置Ｂに送信するための駐車案内信号の選択を行い、これを当該案内装置に送出する駐車案内手段１ａ２と、現在時刻信号を生成する時計手段１ａ３とを有する。また、記憶部１ｂは、随時入力する入江駐車場ごとの特定車両の推定到着時刻を一時的に記憶する第１メモリ（推定到着時刻記憶部）１ｂ１と、特定車両、例えば路線バスの登録番号を予め登録されている第２メモリ（登録番号記憶部）１ｂ２と、各入江駐車場の案内装置から受信する駐車車両情報を一時的に記憶する第３メモリ（駐車車両情報記憶部）１ｂ３とを有している。
【００２４】
また、駐車案内装置Ｂは、図１に例示するように、所要の高さを有するタワー状に形成され、その中に、図３に示すように、駐車管理センタＡの通信制御部３との間での通信を制御する通信制御部５と、ＣＰＵで構成されている制御部６とを備え、外部に、車両検知器７と、登録番号認識機８と、案内表示装置９と、スピーカ１０と、電源装置１１とを備えている。そして、駐車案内装置Ｂは、入江駐車場の車両走行方向先方における車道以外の場所、例えば、歩道の車道に近い位置に立設される。案内表示装置９とスピーカ１０とは駐車案内情報表示手段を構成しており、案内表示装置９は入江駐車場に進入する車両及び駐車した車両に向けて文字表示をし、スピーカ１０は入江駐車場に駐車した車両に向けて音声を出力するように設置されている。駐車案内装置Ｂには、さらに好ましくは、夜間、入江駐車場の周辺を照らす照明灯１２が設けられている。
【００２５】
駐車管理センタＡの処理部１ａの第２メモリ１ｂ２と第３メモリ１ｂ３及び駐車案内装置Ｂの登録番号認識機８は、第二実施例装置の構成要素である。
【００２６】
ホストコンピュータ１の第２メモリ１ｂ２には、入江駐車場の優先的利用を行う特定車両の登録番号が入力手段１ｃから入力され、処理部１ａを介して登録される。入力手段１ｃは、キーボードに限らず、バス運行会社から送信されるデータを受信して処理部１１に入力するものでも良い。第１メモリ１ｂ１に、入江駐車場ごとの特定車両の推定到着時刻を記憶するには、次の二つの方法のいずれかを採用することができる。
【００２７】
第一の方法は、特定車両が路線バスである場合について説明すると、現在、路線バス運行管理センタＤは、各路線で運行されている路線バスＶのそれぞれのバス停留所への推定到着時刻をバス停留所に設けた案内板に表示するため、各バスに搭載されたＧＰＳ（Global Positioning System ）付き発信器から常に現在位置情報を受信しており、その現在位置情報を用いて一定距離を走行するのに要した時間から平均速度を計測し、その平均速度とバスの現在位置から次のバス停留所までの距離に基づいて次のバス停留所に到着する時刻を推定している。従って、入江駐車場Ｐをバス停留所とすれば、駐車管理センタＡは路線バス運行管理センタＤから通信機２を介して各入江駐車場における当該特定車両の推定到着時刻情報を随時受信して記憶することができる。
【００２８】
第２の方法としては、各特定車両に微弱電波を発信する無線発信器を搭載し、その特定車両が入江駐車場に到着した時にその入江駐車場に設置してある駐車案内装置Ｂの受信器がその微弱電波を受信したことにより、駐車案内装置Ｂの制御部６が、その特定車両が当該入江駐車場に到着したことを意味する到着検知信号を通信制御部５を介して駐車管理センタＡに送信し、駐車管理センタＡではそれぞれ同一の特定車両について受信した到着検知信号を用いて、路線バス運行管理センタＤで行っているのと同様の演算処理を行って各バス路線の当該入江駐車場への推定到着時刻を取得し、これを随時第１メモリ１ｂ１に記憶する。特定車両（路線バス）が入江駐車場から退出したことが車両検知器からの検知信号に基づいて判定されると、その特定車両の当該入江駐車場における推定到着時刻情報が第１メモリ１ｂ１の当該入江駐車場に対応する記憶番地から消去されるようになっている。
【００２９】
第３メモリ１ｂ３には、各入江駐車場に駐車した車両の検知信号と登録番号を内容とする駐車車両情報が、当該入江駐車場の駐車案内装置Ｂから受信したときに、その車両検知信号が入力しなくなるまで、すなわち、当該特定車両が当該入江駐車場から退出するまで一時的に記憶されるようになっている。
【００３０】
駐車案内装置Ｂの車両検知器７は、入江駐車場に進入した車両の存否を検出するものであり、一例として赤外線ストロボを用いるセンサで構成されている。登録番号読取機８は、例えば、テレビカメラ又はＣＣＤカメラと画像から登録番号を切り出して認識する画像処理回路とからなり、車両のナンバープレートから登録番号を認識することができる既知ものを用いており、車両検知器７からの車両検知信号又はカメラからの画像信号から車両を認識した時、登録番号の読取を行うようになっている。カメラからの画像信号から車両の有無を判断するようにした場合は、登録番号読取機８が車両検知器を兼ねる。また、車両検知及び登録番号認識には、ＥＴＣシステムの利用が可能な車両のために、駐車案内装置ＢにＥＴＣ受信機８′を設けてもよい（図１参照）。すなわち、ＥＴＣ車載器に所定のＥＴＣカードが挿入されていれば、そのＥＴＣ車載器が発信する当該車両の登録番号及び料金決済に必要な情報をそのＥＴＣ受信機８′で受信することができる。そして、いずれの場合も、車両検知信号と認識された登録番号は制御部６により通信制御部５を経て駐車管理センタＡに送信される。
【００３１】
駐車案内装置Ｂの案内表示装置９は、駐車管理センタＡのホストコンピュータ１の処理部１ａの駐車案内手段１ａ２が選択して当該入江駐車場の駐車案内装置Ｂに送信した駐車案内信号に基づいて、文字、シンボルマークなどからなる駐車案内情報に変換して表示するものであり、好ましくは、可変情報の表示に適した発光ダイオードをマトリックス状に配置してなる表示板とその表示板を駆動する表示ドライバ（図示せず）とから構成されている。図１４に、案内表示装置９による駐車案内情報の表示例が示されている。
【００３２】
駐車案内装置Ｂは、これに備えられた電気部品に電力を供給するため、商用電源を用いてもよいが、図示の例は、これを用いずに商用電源以外の電源装置１０を備えている。電源装置１０は、図１に例示するように、タワーの上部に設けられた太陽光発電機１０ａ、又はこれに加えて風力発電機１０ｂをタワー内に設けられた蓄電器（図示せず）及び定電源供給装置（図示せず）に接続して構成されている。この電源装置は、日照量又は風量が少ない日が何日か続いても、毎日の駐車案内情報の表示に消費する電力を賄える発電能力を有するものである。
【００３３】
太陽光発電機１０ａ及び風力発電機１０ｂを用いるので、配線工事が不要であるから駐車案内装置Ｂの設置が容易にでき、配線による街路美観の低下が防止され、かつ、自然エネルギーの有効活用により、火力発電などに伴う地球温暖化及び自然環境破壊が防止される。
【００３４】
続いて、上記構成による駐車管理装置の作用を説明する。
［第一実施例の作用］
図５のフローチャートは第一実施例の駐車管理センタＡの作用を、図６のフローチャートは第一実施例の駐車案内装置Ｂの作用を示す。まず、駐車管理センタＡの処理部１ａの照合手段１ａ１がバス路線ごとの各入江駐車場Ｐにおける推定到着時刻を順次調べる。すなわち、特定の入江駐車場に対応する記憶番地を指定するためのカウント値が所定値から順次＋１（又は順次−１）され（ステップ１。以下、ステップをＳで表す。）、そのカウント値により指定された第１メモリ１ｂ１の記憶番地にアクセスして推定到着時刻が記憶されているか否かを調べる（Ｓ２）。推定到着時刻が記憶されていない場合は（Ｓ２においてＮ）、Ｓ８にジャンプして駐車案内手段１ａ２が当該入江駐車場への駐車を許可するための駐車許可信号を出力するので、駐車管理センタＡの処理部１ａはこれを当該入江駐車場の駐車案内装置Ｂに送信して、Ｓ１に戻る。この駐車許可信号を受信した駐車案内装置Ｂの制御部６は、予め記憶してあるデータを用いて案内表示装置９に駐車許可情報を表示する（Ｓ２１，Ｓ２４）。
【００３５】
Ｓ２において、指定された記憶番地に推定到着時刻が記憶されている場合は、その推定到着時刻データが当該入江駐車場の駐車案内装置Ｂに送信される（Ｓ３）。この推定到着時刻データを受信した駐車案内装置Ｂの制御部６は、そのデータを用いて案内表示装置９に推定到着時刻を所定の表示パターンに従って表示する（Ｓ２２）。従って、バス利用者は次の路線バスの推定到着時刻を知ることができる。
【００３６】
駐車管理センタＡが推定到着時刻データを当該入江駐車場の駐車案内装置Ｂに送信した後は、駐車案内手段１ａ２は当該入江駐車場の推定到着時刻Ｔａを読み出し、これを時計手段１ａ３が出力している現在時刻Ｔｂと比較して、その推定到着時刻が現在時刻から所定時間Ｔｃ、例えば５分間以内に到来するか否かを判断する（Ｓ４）。
【００３７】
所定時間以内でない場合は、Ｓ１に戻ってカウント値を＋１して次の入江駐車場を指定して、その入江駐車場について、Ｓ２，Ｓ３又はＳ１０，Ｓ４と進み、その入江駐車場に対応する記憶番地に推定到着時刻が記憶されている場合は、同様にその推定到着時刻が現在時刻から所定時間以内に到来するか否かを判断する。ある入江駐車場における推定到着時刻が現在時刻から所定時間以内である場合（Ｓ４でＹ）は、その入江駐車場の駐車案内装置Ｂの車両検知器７からの車両検知信号及び又は登録番号読取機８から、あるいはＥＴＣ受信機からの情報の有無により、当該入江駐車場に駐車している車両の有無を調べる（Ｓ５）。駐車車両が存在するときは、駐車案内手段１ａ２は、その駐車車両に入江駐車場から退出することを要求するための退出要求信号を出力する（Ｓ６）ので、駐車管理センタＡは通信制御部３を経て、これを当該入江駐車場の駐車案内装置Ｂに送信する。これに基づいて、その駐車案内装置Ｂの制御部６は、予め記憶してあるデータを用いて案内表示装置９に退出要求情報を表示させる（Ｓ２５，Ｓ２６）。
【００３８】
駐車管理センタＡの処理部１ａは、退出要求信号を送信した直後に、当該入江駐車場の推定到着時刻が経過したか否かを時計手段からの現在時刻に基づいて判定し（Ｓ７）、未経過であるときはＳ１に戻る。
【００３９】
Ｓ４において、推定到着時刻が現在時刻から所定時間以内に到来すると判定した時に、当該入江駐車場に駐車車両がない場合（Ｓ５においてＮ）は、駐車案内手段１ａ２は、その入江駐車場への駐車を禁止するための駐車禁止信号を出力するので、駐車管理センタＡは通信制御部３を経て、これを当該入江駐車場の駐車案内装置Ｂに送信する（Ｓ９）。これに基づいて、その駐車案内装置Ｂの制御部６は、予め記憶してあるデータを用いて案内表示装置９に駐車禁止情報を表示する（Ｓ２７，Ｓ２８）。
【００４０】
駐車管理センタＡの処理部１ａは、駐車禁止信号を送信した直後に、当該入江駐車場の推定到着時刻が経過したか否かを時計手段からの現在時刻に基づいて判定し（Ｓ７）、未経過であるときはＳ１に戻り、次の入江駐車場について、先の入江駐車場についての場合と同様に、推定到着時刻の有無を調べ（Ｓ２）、ある場合は当該入江駐車場の駐車案内装置Ｂへの送信（Ｓ３）、及びその推定到着時刻が現在時刻から所定時間以内か否かの判定（Ｓ４）、及び駐車車両の有無に応じて退出要求信号又は駐車禁止信号の送信（Ｓ６又はＳ９）を行う。
【００４１】
そして、Ｓ６において退出要求信号を送信した後、又はＳ９において駐車禁止信号を送信した後に、推定到着時刻が経過した時（Ｓ７においてＹ）は、駐車案内手段１ａ２は駐車許可信号を出力するので、駐車管理センタＡの処理部１ａはこれを当該入江駐車場の駐車案内装置Ｂに送信して（Ｓ８）、Ｓ１に戻る。駐車許可信号を受信した駐車案内装置Ｂの制御部６は、予め記憶してあるデータを用いて案内表示装置９に駐車許可情報を表示する（Ｓ２４）ことは既述したとおりである。
【００４２】
［第二実施例の作用］
第一実施例は、当該入江駐車場における推定到着時刻が現在時刻から一定時間以内に到来するという条件のみで、当該入江駐車場の駐車案内装置Ｂの駐車案内情報表示手段により退出要求情報又は駐車禁止情報を表示するようにしたが、第二実施例は、駐車案内装置Ｂの登録番号読取機８及び駐車管理センタＡの照合手段１ａ１、第１メモリ１ｂ１のほかに第２メモリ１ｂ２並びに第３メモリ１ｂ３を用いて、当該入江駐車場に駐車した車両が特定車両か否かを判定し、特定車両でない場合に限り退出要求情報を表示するようにしたものである。この場合の駐車管理センタＡの処理部１ａの作用は、図７のフローチャートに示される通りである。図５におけるステップと同一のものには同一の符号を付してある。第一実施例と異なる点のみを説明すると、当該入江駐車場に駐車している車両が存在する（Ｓ５においてＹ）場合は、その車両の登録番号は登録番号読取機８により認識され、第３メモリ１ｂ３に記憶されているので、駐車管理センタＡの照合手段１ａ１はＳ５’においてその登録番号を特定車両の登録番号と照合し、不一致の場合は駐車案内手段１ａ２に出力するので、駐車案内手段１ａ２は退出要求信号を出力（Ｓ６）するようになっている。これに基づいて、駐車案内装置Ｂが案内表示装置９に退出要求情報を表示させる（Ｓ２５，Ｓ２６）ことは、前述したとおりである。そして、退出要求信号の送信後は、駐車管理センタＡの処理部１ａは当該入江駐車場の駐車案内装置Ｂからの車両検知信号に基づいて、駐車していた車両が退出したか否かを調べる（Ｓ７）。駐車した車両が特定車両である場合（Ｓ５’においてＹ）も車両が退出したか否かを調べる。退出しない場合はＳ１に戻る。退出した場合は、当該入江駐車場の駐車案内装置Ｂに駐車許可信号を送信する。
【００４３】
［第三発明］
第三発明は、入江駐車場を路線バスなどの特定車両を除く、予め利用契約を締結している車両（本明細書では、これを契約車両という。）例えば物流会社の搬送車やタクシー会社のタクシーなどと、予め利用契約を締結していない車両（本明細書ではこれを非契約車両という。）とが一定条件下で入江駐車場の利用を可能にするものである。この発明に係る駐車管理装置は、図８に示すように、駐車管理センタＡと各入江駐車場Ｐに設置される駐車案内装置Ｂのほかに、予約申込情報入力手段Ｃが構成要素として加わる。予約申込情報入力手段Ｃは、駐車を希望する入江駐車場及び希望する駐車時間帯を公衆電話回線網Ｅを介して駐車管理センタＡに送信し、駐車管理センタＡが予約受付の可否を判断した結果を受信して、予約受付完了又は予約不可能を表示するものであり、例えば、物流会社又はタクシー会社の電話機（Ｃ1 ）、搬送車又はタクシーなどに搭載された携帯電話機（Ｃ2 ）、もしくはカーナビゲーション（Ｃ3 ）などを用いることができる。
【００４４】
また、第三発明の駐車管理装置においては、図９に示すように、駐車管理センタＡの処理部１ａには、第二発明に係る図４の構成要素１ａ１，１ａ２，１ａ３のほかに、予約受付手段１ａ４，駐車料金算出手段１ａ５及び課金手段１ａ６が備えられ、また、記憶部１ｂには契約車両の登録番号を登録してある第４メモリ１ｂ４と、入江駐車場ごとの駐車予約データを一時的に記憶する第５メモリ１ｂ５と、駐車料金の算出基準が登録されている駐車料金テーブル１ｂ６とが備えられている。駐車料金の算出基準は、契約車両に対して適用される第１算出基準と、非契約車両に対して適用される第２算出基準とに分けて記憶されている。契約車両の入江駐車場利用頻度（需要）は非契約車両の利用頻度よりも多いので、第１算出基準は第２算出基準よりも低額に設定される。第１算出基準は１回の駐車で時間の長短に関わりなく定額としてもよく、また、第２算出基準は駐車時間に応じて加算するものとすることが、非契約車両の長駐車時間を抑制するために望ましい。
【００４５】
予約受付手段１ａ４は、予約申込情報入力手段Ｃから公衆電話回線網Ｅを介して入江駐車場を指定する情報及び希望する駐車時間帯情報を受信すると、第５メモリ１ｂ５にアクセスして既に同一の入江駐車場及び駐車時間帯について予約済みか否かを調べ、予約済みでない場合はその予約を受け付けて、その予約申込情報に含まれる特定の入江駐車場Ｐのコードと駐車時間帯とを予約情報として第５メモリ１ｂ５に登録するとともに、予約完了を意味する信号を出力する。また、予約済みである場合は、予約不可能を意味する信号を出力する。予約申込情報入力手段Ｃは、駐車管理センタＡから送信される上記信号を受信したとき、予約受付完了又は予約不可能を表示することは既述したとおりである。
【００４６】
図１０は、第三発明装置の駐車管理センタＡの処理部の作用を示すフローチャートである。図７のフローチャートと異なる部分についてのみ説明すると、Ｓ３１において指定された記憶番地の入江駐車場について契約車両からの駐車予約がある否かを第５メモリ１ｂ５の駐車予約データから判定する（Ｓ３２）。駐車予約がある場合は、その駐車予約時間帯が現在時刻から一定時間以内に到来するとき（Ｓ３３でＹ）は、当該入江駐車場に駐車している車両があるか否かを第３メモリの駐車車両情報から判断する（Ｓ３４）。駐車車両が存在しないときは、駐車禁止信号を出力して（Ｓ３９）、Ｓ１に戻る。駐車車両が存在する場合はその車両が契約車両でない場合（Ｓ３５でＮ）は、退出要求信号を出力して（Ｓ３１０）、Ｓ１に戻る。
【００４７】
駐車している車両が契約車両である場合（Ｓ３５でＹ）は、駐車料金算出手段１ａ５が計算基準テーブル１ｂ６に登録されている第１算出基準に基づいて駐車料金を算出する（Ｓ３６）。その車両が当該入江駐車場から退出したことを当該入江駐車場の駐車案内装置Ｂからの車両検知信号により判定したとき（Ｓ３７でＹ）は、課金手段１ａ６がその駐車車両情報に含まれる登録番号に対して課金処理を行う。課金処理は既知の方法により行われるので、詳細な説明は省略する。
【００４８】
Ｓ３２において契約車両による駐車予約が無い場合（Ｓ３２でＮ）、及び駐車予約があってもその予約時間帯の到来まで一定時間以上の空き時間がある場合（Ｓ３３でＮ）は、駐車案内手段１ａ２は駐車許可信号を出力する（Ｓ３１１）ので、これに基づいて当該入江駐車場の駐車案内装置Ｂは駐車許可情報を表示する。そして、その後に当該入江駐車場に車両が存在しないとき（Ｓ３１２でＮ）はＳ１に戻るが、駐車している車両が存在する場（Ｓ３１２でＮ）合は、駐車料金算出手段１ａ５が第２算出基準に基づいて駐車料金を算出する（Ｓ３１３）。その後は、Ｓ３７に移行する。
【００４９】
図１１は、第四発明に係る駐車管理装置、すなわち、特定車両、例えば路線バスと、契約車両と、非契約車両の３種類の車両の入江駐車場の時分割利用を図ったものの駐車管理センタＡの処理部の作用を説明するフローチャートである。
【００５０】
Ｓ４１において各入江駐車場の記憶番地を順次アクセスして、Ｓ４２において特定車両の推定到着時刻の記憶の有無を調べ、記憶されている場合は、Ｓ４３からＳ４１０までの処理を行い、特定車両の推定到着時刻の記憶が無い場合は、Ｓ４１１において契約車両の駐車予約があるか否かを調べ、ある場合はＳ４１２からＳ４１７までの処理を行って、利用した契約車両に対する課金処理を行い、また、駐車予約がない場合（Ｓ４１１でＮ）又は予約した駐車時間帯の到来まで空き時間がある場合（Ｓ４１２でＮ）はＳ４１７からＳ４１９，Ｓ４１６，Ｓ４１７までの処理を行って、利用した非契約車両に対する課金処理を行う。すなわち、入江駐車場利用について特定車両を最優先に扱い、次に契約車両を優先的に扱い、残余の空き時間を非契約車両の利用に供している。
【００５１】
［他の実施の形態］
上記第四発明においては、特定車両の推定到着時刻が記憶されておらず、かつ、契約車両の駐車予約が無い場合又は契約車両の駐車予約があっても現在時刻からその希望駐車時間帯の到来までの時間が一定時間以上ある場合には、駐車許可信号を当該入江駐車場に送信し、駐車許可情報を表示するようにしている、しかし、他の好ましい実施の形態においては、契約車両と非契約車両の違いは、単に駐車管理センタＡの記憶部の計算基準テーブル１ｂ６に登録されている駐車料金の計算基準の違い（第１計算基準と第２計算基準）のみとし、契約車両も駐車予約申込及びその受付完了を必要とすることなく、当該入江駐車場について特定車両の推定到着時刻が記憶されていない時（Ｓ５２においてＮ）、又は記憶されていてもその特定車両の推定到着時刻が現在時刻から一定時間以内に到来しない場合は、駐車許可信号を送信して、特定車両以外の車両（契約車両又は非契約車両）の利用を認めるようにしてある。そして、当該入江駐車場の駐車案内装置Ｂの登録番号認識手段からの登録番号に基づいて当該駐車車両が契約車両か非契約車両かを判定して（Ｓ５１３）、その判定結果によりいずれかの計算基準に基づいて駐車料金を算出して（Ｓ５１４又は５１５）、課金処理（Ｓ５１７）をするようにしてもよい。
【００５２】
上述のように、第一の実施例によれば、特定車両の推定到着時刻の一定時間前から退出要求又は駐車禁止のための駐車案内情報を駐車案内装置Ｂにより当該入江駐車場に向けて表示するので、特定車両が入江駐車場に確実に優先的に利用することができるので、その駐車中に他の車両の交通流の妨げとなることがないから、交通流全体が円滑化される。
【００５３】
また、第二実施例によれば、特定車両の推定到着時刻より一定時間前から推定到着時刻入江駐車場に駐車している車両が特定車両であるか否かを調べ、特定車両でない場合に退出要求情報を表示するので、実態に即した駐車案内を行うことができる。
【００５４】
第三実施例によれば、駐車予約時間帯は契約車両に入江駐車場を優先的に利用させ、駐車予約が無い場合は非契約車両の入江駐車場の利用も可能である。しかも、契約車両と非契約車両の駐車料金の計算基準が異なるので、契約車両と非契約車両のいずれの長時間駐車を抑制したいかにより対応する車両の計算基準を高くして、抑制を実現することができる。
【００５５】
第四実施例によれば、特定車両が最優先的に、契約車両が詐欺の優先的に、最後に非契約車両でも残余時間に入江駐車場を利用することができる。
【００５６】
第五実施例によれば、特定車両の推定到着時刻より一定時間前から推定到着時刻までの間を除く他の時間においては、契約車両は駐車時間の予約をせずに入江駐車場の第１計算基準に基づいた駐車料金で利用が可能であり、さらに、非契約車両も残余時間において入江駐車場を第２計算基準に基づいた駐車料金で利用が可能である。
【００５７】
本発明により、入江駐車場の利用率が従来よりも格段に高くなることが期待できるので、都市の交通量にもよるが、入江駐車場の設置数が適正値である場合、例えば、数百メートルごとに設置された場合は、従来のように車道の路側に違法駐車する車両数が激減するので、交通流が非常に円滑になる。従って、図１に示すように、車道Ｒの路側に駐車用の余分な幅員（図１のＷ１）を確保する必要がなくなるので、従来の余分な幅員部分に歩道を建設して、歩道の全体の幅員をＷ２からＷ３まで拡幅することが可能となる。そして、拡幅された歩道には花壇Ｆを置いたり、植樹したりして、街路環境の改善を図ることができる。
【００５８】
駐車案内装置Ｂは、適当な高さを有するタワー状に形成され、車道を通行する車両からも見える高さに案内表示板を有するので、地震その他の大規模災害発生時などの緊急時には、例えば図１４（ｆ）に示すような情報を表示する緊急避難場所通知塔として使用するのに適している。この場合、駐車案内装置Ｂには、テレビカメラ８が装備されているので、災害発生時は割り込み処理により、そのテレビカメラから駐車管理センタＡに送信されてくる映像をモニタで見ながら、当該駐車案内装置のスピーカ１０より避難誘導のための音声情報を出力することができるので、便宜である。しかし、その時に電源装置が十分な電力を供給できないと機能を発揮できない。そこで、好ましい実施例では、Ｂに手動発電機１０ｃが備えられている。
【産業上の利用可能性】
【００５９】
上記の駐車管理装置は、利用対象が入江駐車場である場合に特に有効であるが、本発明は入江駐車場に限定されるものではなく、従来の車道の一部を駐車場とする駐車帯にも適用可能である。
【図面の簡単な説明】
【００６０】
【図１】本発明に係る入江駐車場とこれに隣接して駐車案内装置Ｂが設置されている状態のイメージを示す図。
【図２】第一の発明の実施例を示す概念図。
【図３】第一の発明の主たる構成要素である駐車管理センタと案内装置の構成を示すブロック図。
【図４】駐車管理センタＡの主としてホストコンピュータの構成の一例を示すブロック図。
【図５】第一の発明の主たる構成要素である駐車管理センタＡの作用を示すフローチャート。
【図６】第一の発明の主たる構成要素である駐車案内装置Ｂの作用を示すフローチャート。
【図７】第一の発明の第二実施例の駐車管理センタＡの作用を示すフローチャート。
【図８】第二の発明の実施例を示す概念図。
【図９】駐車管理センタＡの主としてホストコンピュータの構成の一例を示すブロック図。
【図１０】第三の発明の実施例の駐車管理センタＡの作用を示すフローチャート。
【図１１】第四の発明の実施例の駐車管理センタＡの作用を示すフローチャート。
【図１２】第五の発明の実施例の駐車管理センタＡの作用を示すフローチャート。
【図１３】駐車案内装置の一例を示す正面図。
【図１４】駐車案内装置による駐車案内情報の表示例を示す図。
【符号の説明】
【００６１】
Ｐ  入江駐車場
Ｖ  車両
Ａ  駐車管理センタ
Ｂ  駐車案内装置
Ｃ  予約申込情報入力手段
Ｅ  公衆電話回線網
【図１】
2006244144.tif 000003
【図２】
2006244144.tif 000004
【図３】
2006244144.tif 000005
【図４】
2006244144.tif 000006
【図５】
2006244144.tif 000007
【図６】
2006244144.tif 000008
【図７】
2006244144.tif 000009
【図８】
2006244144.tif 000010
【図９】
2006244144.tif 000011
【図１０】
2006244144.tif 000012
【図１１】
2006244144.tif 000013
【図１２】
2006244144.tif 000014
【図１３】
2006244144.tif 000015
【図１４】
2006244144.tif 000016